(57)【要約】  第１ペイン及び第２ペイン、第１ペインと第２ペインとにそれぞれ耐水蒸気漏洩性の様式で強固に接続している、第１ペインと第２ペインとの間の周縁スペーサ―、を有する絶縁グレージングであって、スペーサが、少なくとも２つの平行なペイン接触壁、外側壁、及びグレージング内側壁、並びに内部を有し、かつ、耐水漏洩性の封止剤ストリップが、第１と第２ペインとの間で、スペーサの外側壁の周りに延在しており、少なくとも１つの均圧要素が、封止剤ストリップ及びスペーサに挿入されており、均圧要素が、一方では周囲雰囲気に通じており、他方ではスペーサの内部又は第１と第２ペインとの間のグレージング内部に通じており、かつ、均圧要素が、周囲雰囲気とスペーサの内部又はグレージング内部との間の均圧機能を有するガス接続を提供するように実施されており、このガス接続が、経年劣化及び／又は周囲雰囲気影響に起因して時間的に制限されている、絶縁グレージング。【選択図】図２
2021510669.tif 000002
【特許請求の範囲】
【請求項１】
第１ペイン（２ａ）及び第２ペイン（２ｂ）、
前記第１及び前記第２ペインにそれぞれ耐水蒸気漏洩性の様式で強固に接続している、前記第１ペインと前記第２ペインとの間の、周縁スペーサ―（３、３’）、
を有する、絶縁グレージング（１、１’）であって、
前記スペーサが、少なくとも２つの平行なペイン接触壁、外側壁（３ｅ、３ｅ’）、及びグレージング内側壁（３ｃ）、並びに内部（３ｆ）を有し、かつ、耐水漏洩性の封止剤ストリップ（５）が、前記第１と前記第２ペインとの間でスペーサの前記外側壁の周りに延在しており、
少なくとも１つの均圧要素（７）が、前記封止剤ストリップ及び前記スペーサに挿入されており、前記均圧要素が、一方では周囲雰囲気に通じており、他方では、前記スペーサの前記内部又は前記第１ペインと前記第２ペインとの間のグレージング内部（２ｃ）に通じており、かつ、前記均圧要素が、周囲雰囲気と前記スペーサの前記内部又は前記グレージング内部との間の均圧機能を有するガス接続を提供するように実施されており、このガス接続が、経年劣化及び／又は周囲雰囲気の影響に起因して時間的に限定されており、
前記均圧要素（７）が、主体（７ａ、７ｂ）に、初期にはガス透過性である物質を含有しており、この物質が、経年劣化し、かつ／又は周囲雰囲気における湿分の影響の下で劣化し、前記均圧要素が完全に閉鎖されるまで、徐々に、前記均圧要素のガス透過性を低下させることを特徴とする、
絶縁グレージング（１、１’）。
【請求項２】
前記劣化する物質（７ｇ）が、特には外部側で、耐水漏洩性かつガス透過性であるが水蒸気の通過を妨害するメンブレン（７ｆ）と一緒に、前記均圧要素（７）に充填されている、請求項１に記載の絶縁グレージング（１、１’）。
【請求項３】
前記劣化する物質が、ポリエチレングリコールの粉末又は粒子であり、かつ、前記耐水漏洩性の前記メンブレンが、ＰＴＦＥメンブレンであり、特には延伸又は焼結ＰＴＦＥメンブレンである、請求項２に記載の絶縁グレージング（１、１’）。
【請求項４】
前記経年劣化する物質が、前記主体（７ａ、７ｂ）に、メンブレン（７ｆ）として挿入されており、特にはＰＴＳＭＰに基づいている、請求項１に記載の絶縁グレージング（１、１’）。
【請求項５】
前記劣化する物質が、特には内部側で、耐水漏洩性かつガス透過性であるが水蒸気の通過を妨害するメンブレン（７ｆ）と一緒に、前記均圧要素（７）に挿入されており、
特には、耐水漏洩性の前記メンブレンが、ＰＴＦＥメンブレンであり、かつ、前記劣化する物質が、湿分の影響の下で膨張する物質であり、初期には多孔性であるか又は開口部（７ｈ）を備えている挿入体（７ｇ）として存在する、
請求項１に記載の絶縁グレージング（１、１’）。
【請求項６】
前記スペーサ（３、３’）の前記グレージング内側壁（３ｃ）が、ガス透過性であり、かつ、前記均圧要素（７）が、前記スペーサの前記内部（３ｆ）に突き出しており、かつ、前記内部を、周囲雰囲気に、均圧化する様式で接続している、請求項１〜５のいずれか一項に記載の絶縁グレージング（１、１’）。
【請求項７】
前記スペーサ（３、３’）の前記グレージング内側壁（３ｃ）が、複数の小さい開口部（３ｄ）を有しており、これらの開口部が、特には、前記スペーサの全長にわたって分布しており、かつ、前記スペーサの前記内部（３ｆ）が、特には、乾燥剤（６）で充填されている、請求項５に記載の絶縁グレージング（１、１’）。
【請求項８】
前記均圧要素（７）が、前記スペーサ（３、３’）を貫通し、かつ前記グレージング内部（２ｃ）に突出しており、前記内部を、周囲雰囲気に、均圧化する様式で接続している、請求項１〜６のいずれか一項に記載の絶縁グレージング（１、１’）。
【請求項９】
前記均圧要素（７）の主体部分（７ａ）が、前記封止剤ストリップ（５）に埋め込まれており、かつ、その外部側で開かれており、かつ前記スペーサ（３、３’）の前記外側壁（３ｅ）に固定されている、請求項１〜７のいずれか一項に記載の絶縁グレージング（１、１’）。
【請求項１０】
前記封止剤ストリップ（５）に埋め込まれている前記主体部分（７ａ）が、別個の耐水漏洩性の封止剤（９）によって囲まれており、かつ、前記スペーサ（３、３’）の前記外側壁（３ｅ、３ｅ’）における貫通開口部に、他の別個の耐水蒸気漏洩性の封止剤（８）を備えている、請求項９に記載の絶縁グレージング（１、１’）。
【請求項１１】
前記均圧要素（７）の前記主体（７ａ、７ｂ）が、本質的に、段階的な円錐状の形状を有している、請求項１〜１０のいずれか一項に記載の絶縁グレージング（１、１’）。
【請求項１２】
前記別個の耐水漏洩性の封止剤（９）が、中空の円錐形又は環状の形状を有しており、他の前記別個の耐水蒸気漏洩性の封止剤（８）が、環状である、請求項１０又は１１に記載の絶縁グレージング（１、１’）。
【請求項１３】
下記の工程を有する、請求項１〜１２のいずれか一項に記載の絶縁グレージング（１、１’）を製造する方法：
−  前記第１及び第２ペイン（２ａ、２ｂ）を平行に配置し、これらを、耐水蒸気漏洩性の様式で、前記スペーサ（３、３’）の前記第１及び第２ペイン接触壁（３ａ、３ｂ）に、それぞれ接続することによって、絶縁グレージングを形成すること、
−  前記封止剤ストリップ（５）を、周縁的に、前記スペーサの前記外側壁（３ｅ、３ｅ’）に適用すること、
−  開口部（５ａ、３ｇ’）を、前記封止剤ストリップの少なくとも１つの場所に、かつ少なくとも前記スペーサの前記外側壁（３ｅ’）に、形成すること、
−  前記均圧要素（７）を、前記封止剤ストリップ及び前記スペーサの前記外側壁における開口部又はそれぞれの開口部に、耐ガス漏洩性の様式で、挿入すること、ここで、前記均圧要素が、主体（７ａ、７ｂ）に、初期にはガス透過性である物質を含有しており、この物質が、経年劣化しかつ／又は周囲雰囲気における湿分の影響下で劣化し、かつ、前記均圧要素が完全に閉鎖されるまで、前記均圧要素のガス透過性を徐々に低下させる。
【請求項１４】
前記封止剤ストリップ（５）の前記開口部（５ａ）に挿入する前に、前記均圧要素（７）に、別個の耐水蒸気漏洩性の封止剤（８）を提供する、請求項１３に記載の方法。
【請求項１５】
前記封止剤ストリップ（５）における前記開口部（５ａ）が、前記均圧要素（７）の外部寸法よりも大きい寸法を有しており、かつ、前記均圧要素の挿入の後で、均圧要素の外部輪郭と前記開口部の内側壁との間の隙間を、封止加工物を射出して別個の耐水漏洩性封止（９）を形成することによって充填する、請求項１３又は１４に記載の方法。
【発明の詳細な説明】
【技術分野】
【０００１】
本発明は、第１ペイン及び第２ペイン、第１ペイン及び第２ペインとの間にあり第１ペイン及び第２ペインに対してそれぞれ耐水蒸気漏洩的に強固に接続している周縁スペーサを有する絶縁グレージングに関し、このスペーサは、少なくとも、２つの平行なペイン接触壁、外側壁、及びグレージング内側壁、並びに内部を有しており、耐水漏洩性の封止剤ストリップが、第１ペインと第２ペインとの間でスペーサの外側壁の周りに延在しており、少なくとも１つの均圧要素が、封止剤ストリップ及びスペーサに挿入されている。本発明は、さらに、そのような絶縁グレージングを製造する方法、及びその使用に関する。
【背景技術】
【０００２】
数十年の間、絶縁グレージングが、工業先進国における、特に温暖及び比較的寒冷な環境域における、住居建物及び機能性建築物の不可欠な要素であった。これらは、環境保護並びに加熱及び空調コストの節約のための世界的な努力の間に、益々さらに重要となっており、かつ、後進国においても、益々用いられるようになっている。
【０００３】
建設業者は、絶縁グレージングを、その断熱特性及びコストのためだけではなく、主にその光学的な性質のために、選択する。可視的な光学的欠陥、例えば、完全に平坦でないガラス表面によって起こる可視的な光学的欠陥は、建設業者及び建設物設計者にとってますます許容できないものとなっており、事実上、市販しうる絶縁グレージングには現れるべきではない。
【０００４】
絶縁グレージングは、個々の製造業者の数少ない大規模工場で大量生産され、そして、完成した絶縁グレージングが、多くの場所へと送られ、構成要素（ウィンドウ、ドア等）へとさらに加工され、又は、直接に建設現場で（例えば、ファサードグレージング又はルーフグレージングとして）使用される。これらは、製造場所とは相当に異なる標高であることがあり、そのため、密封された絶縁グレージングの場合には、さらなる加工又は使用の場所における変化した圧力の結果として、ペインの曲がりが生じることがあり、絶縁グレージングの光学的性質に、感知しうる悪影響をもたらすことがある。圧力差によって生じる応力は、絶縁グレージングの端部封止に応力をもたらし、信頼性の問題につながりやすい。
【０００５】
結果として、完成した絶縁グレージングのさらなる加工、又は建設現場での使用の前又はその間に、周囲雰囲気とグレージング内部との間の均圧を可能にする解決策が必要とされている。
【０００６】
従来技術では、絶縁グレージングの種々の設計が知られており、グレージング内部と周囲との間の一定のガス交換を可能にしている。
【０００７】
欧州特許出願公開第０２６１９２３号明細書は、湿分透過性フォームでできており統合された乾燥剤を有するスペーサを有する複数ペイン絶縁グレージングを、開示している。このアセンブリは、好ましくは、外部封止剤及び耐ガス漏洩性かつ耐湿分漏洩性であるフィルムによって、封止されている。フィルムは、金属コーティングＰＥＴ及びポリビニルクロリドコポリマ−を含有しうる。
【０００８】
独国特許出願公開第３８０８９０７号明細書は、端部封止を通って延在する換気チャネル及び乾燥剤で充填された乾燥チャンバを有する複数ガラスペインを開示している。
【０００９】
独国特許出願公開第１０２００５００２２８５号明細書は、断熱グレージングのペイン間空間で使用するための絶縁グレージング均圧システムを、開示している。
【００１０】
欧州特許出願公開第２００６４８１号明細書は、包囲されたガス体積を有する絶縁グレージングユニットのための均圧装置を開示しており、均圧バルブが、絶縁グレージングのスペーサに挿入されている。しかしながら、これらの均圧バルブは、複数の可動部品の形態の複雑な機構を有しており、エラーの影響をより受けやすくなるだけでなく、実質的に比較的高い製造コストももたらす。
【００１１】
出願人の国際公開第２０１４／０９５０９７号は、均圧要素を有する絶縁グレージング及びその製造方法を記載している。この場合、ガス透過性かつ耐蒸気拡散性であるメンブレンを有する均圧体が、封止化合物に配置され、スペーサの外側壁に突出しており、かつ、周縁スペーサが、特別な隔壁によって分割されている。
【００１２】
独国特許出願公開第１９５０６１１９号明細書は、請求項１の一般的部分に係る絶縁グレージングであり、これは、特に、周囲雰囲気の圧力の計測に基づいて絶縁グレージングの内部と周囲雰囲気との間の時間的に制限された接続を提供する均圧要素を、有する。独国特許出願公開第３８４２１２９号明細書からも、ペイン間空間と周囲雰囲気との間の圧力差に反応し、ペイン間空間を周囲雰囲気に接続しているバルブを一時的に開ける、絶縁グレージングのための均圧装置が知られている。
【発明の概要】
【発明が解決しようとする課題】
【００１３】
本発明の目的は、絶縁グレージングの完成後のさらなる加工又は建設現場での使用の前又は間における、絶縁グレージングの均圧のための、簡便かつ経済的な解決策を示すことである。
【課題を解決するための手段】
【００１４】
この目的は、請求項１の特徴を有する絶縁グレージングによって、その装置の側面において達成され、かつ、請求項１３の特徴を有する製造方法によって、その方法の側面において達成される。発明思想の適切なさらなる発展が、それぞれの従属請求項の主題である。
【図面の簡単な説明】
【００１５】
【図１】図１は、既知の絶縁グレージングの斜視部分断面詳細図である。
【図２】図２は、本発明に係る絶縁グレージングに使用する均圧要素の斜視図である。
【図２Ａ】図２Ａは、本発明に係る絶縁グレージングの実施態様における均圧要素の態様の概略的な断面図である。
【図２Ｂ】図２Ｂは、本発明に係る絶縁グレージングの実施態様における均圧要素の態様の概略的な断面図である。
【図２Ｃ】図２Ｃは、本発明に係る絶縁グレージングの実施態様における均圧要素の態様の概略的な断面図である。
【図３Ａ】図３Ａは、本発明に係る絶縁グレージングの実施態様の製造工程を説明する概略断面図である。
【図３Ｂ】図３Ｂは、本発明に係る絶縁グレージングの実施態様の製造工程を説明する概略断面図である。
【図３Ｃ】図３Ｃは、本発明に係る絶縁グレージングの実施態様の製造工程を説明する概略断面図である。
【図３Ｄ】図３Ｄは、本発明に係る絶縁グレージングの実施態様の製造工程を説明する概略断面図である。
【００１６】
本発明は、絶縁グレージングの端部封止に均圧要素を提供するアイデアを含んでおり、この均圧要素が、一方では、周囲雰囲気に対して開いており、他方では、スペーサの内部又は第１と第２ペインとの間のグレージング内部に開いており、かつ、周囲雰囲気とスペーサ内部又はグレージング内部との間における均圧機能を有する一時的なガス接続を提供するように、実施される。
【００１７】
ここでのさらなるアイデアは、均圧要素における物質又は活性要素によって一時的なガス接続を実現することであり、物質又は活性要素が、経年劣化及び／又は周囲雰囲気の影響に起因して、適切な期間のうちに、そのガス透過性を顕著に変化させる。同時に、初期において、均圧要素が、端部封止の耐水漏洩性及び広範囲の耐蒸気拡散性を損なわないことを確実にする必要がある。
【００１８】
ここで、用語「均圧機能を有する一時的なガス接続」は、絶縁グレージングの完成後の事前に決められた期間の間のみの実質的な範囲にわたって効果を発揮するもの、すなわち、特には、典型的には「ペインパッケージ」の完成から、ウィンドウ若しくはドアへのペインの組込み又はファサードグレージングにおけるペインの使用までの期間にわたって効果を発揮するものを意味するものと理解される必要がある。このことは、必ずしも、時間のさらに後の時点で、ガス交換が全く起こらないこと及びさらなる均圧が起こらないことを意味するものではなく、むしろ、これが後に実質的に低減されることを意味する。
【００１９】
特には、均圧要素が、主体に、耐水漏洩性の活性要素を有しており、この要素が、初期にはガス透過性である物質でできており、この物質が、経年劣化しかつ／又は周囲雰囲気における湿分の影響下で劣化し、均圧要素が完全に閉じるまで、徐々に、均圧要素のガス透過性を低減させる。簡便な態様では、上述の物質を、メンブレンとして主体に挿入することができ、上述の物質が、特には、ポリ（−１−トリメチルシリル−１−プロピン）（ＰＴＳＭＰ）に基づいていてよい。
【００２０】
さらなる態様では、劣化する物質が、一方では、特には外部側で、耐水漏洩性かつガス透過性であるが水蒸気の通過を妨害するメンブレンと一緒に、均圧要素に充填されていてよい。特には、劣化する物質が、ポリエチレングリコール（ＰＥＧ）の粉末又は粒子であり、耐水漏洩性メンブレンが、ＰＴＦＥメンブレン、特には延伸又は焼結ＰＴＦＥメンブレン（Ｇｏｒｅｔｅｘ）である。上述のものに加えて、同様の機能及び許容しうるコストを有する他の化学物質又は混合物も、想定しうる。
【００２１】
別の態様では、劣化する物質が、特には内部側で、耐水漏洩性かつガス透過性であるが水蒸気の通過を妨害するメンブレンと一緒に、均圧要素に挿入されるようにする。ここでも、耐水漏洩性メンブレンが、特にはＰＴＦＥメンブレンを有し、かつ、劣化する物質が、湿分の影響の下で膨張する物質であり、この物質が、初期には、多孔性であるか又は微細開口部を備える挿入体として存在する。種々のそのような膨張性物質が知られており、特に、特定の熱可塑性エラストマー（ＴＰＥ）が知られている。
【００２２】
この理由から好ましい別の態様においては、スペーサのグレージング内側壁が、ガス透過性であり、かつ、均圧要素が、スペーサの内部に突き出しており、かつ、スペーサの内部を、均圧的な様式で、周囲雰囲気に接続している。
【００２３】
そして、空気又はガスが、スペーサの内部から、ペイン間空間へと、又は周囲雰囲気へと、所望の均圧が達成されるまで、拡散する。
【００２４】
この態様は、特には、スペーサの内部が乾燥剤で充填されている場合である；なぜならば、その場合には、均圧の間に進入する周囲空気が乾燥剤を通過し、所望に応じて、そこから湿分が除去されるからである。特に、スペーサのグレージング内側壁が、複数の小さい開口部を有してよく、これが、特には、スペーサの全長にわたって分布する。
【００２５】
しかしながら、原則として、均圧要素がスペーサを貫通し、グレージング内部に突き出し、かつグレージング内部を均圧的な様式で周囲雰囲気に接続する態様も、可能である。この場合には、乾燥剤を、均圧要素それ自体の中に提供することができ、又は、随意に、特定の用途では、進入する少量の周囲空気の乾燥を、省いてよい。
【００２６】
適切な設計では、均圧要素の主体部分が、封止剤ストリップに埋め込まれ、かつその外側面で開いていてよく、かつ、スペーサの外側壁に固定されてよく、例えば、ねじ込まれてよい。特に、封止剤ストリップに埋め込まれた主体部分を、別個の耐水漏洩性の封止剤で取り囲み、かつ、別の別個の耐水蒸気漏洩性の封止剤を、スペーサの外側壁における貫通開口部に提供する。
【００２７】
別の態様では、均圧要素の主体が、本質的に、段階的な円錐形状を有する。その場合、上記で「主体部分」として言及された、比較的大きい直径を有する部分を、スペーサの外側壁に配置し、かつ、比較的小さい直径を有する部分を、スペーサに提供されている開口部を通じてスペーサに突出させ、又は、グレージング内側壁にあり第１開口部と位置合わせされている別の開口部において、スペーサを貫通させる。主体の円錐形の態様では、別個の耐水漏洩性の封止剤が、中空の円錐形又は環状の形状を有し、かつ、他の別個の耐水蒸気漏洩性の封止剤が、環状である。
【００２８】
本発明の、方法に関連する態様は、上述の装置に関連する態様から、当業者に容易に明らかであり、ここで再び記載しない。
【００２９】
しかしながら、随意に、封止剤ストリップの開口部への挿入の前に、均圧要素に、別個の耐水蒸気漏洩性の封止剤を提供することを述べておく必要がある。また、別の実施態様では、封止剤ストリップにおける開口部が、均圧要素の外部寸法よりも大きい寸法を有すること、及び、均圧要素の挿入の後で、その外部輪郭と開口部の内側壁との間の隙間を封止化合物の射出によって充填して、別個の耐水漏洩性封止を形成することを、述べておく必要がある。これは、均圧要素の特定の機械的特徴及び均圧要素のための開口部を作成する間における製造許容誤差にかかわらず、封止剤ストリップにおける均圧要素の密封された埋め込みを、可能にする。
【００３０】
本発明の利点及び機能が、図面を参照した例示的な態様の下記の記載からも、明らかとなる。
【００３１】
図１は、部分的な断面斜視図において、スペーサ２によって互いに距離をもって平行な位置でかつそろった端部を有して保持されている第１及び第２ガラスペイン２ａ、２ｂを有する絶縁グレージング１を、描写している。スペーサ３の２つのペイン接触表面３ａ、３ｂが、ブチルストリップ４ａ、４ｂを備えており、スペーサ３とガラスペイン２ａ、２ｂとの間の、耐蒸気拡散性の接続が実現されている。封止剤ストリップ５が、スペーサ３の外で、ペイン２ａ、２ｂの間の隙間に、アプリケーターロールＷによって押し込まれ、ペインの間の物質的かつ耐水漏洩性の接続が確立され、絶縁グレージング１が完成する。
【００３２】
スペーサ３は、矩形及び台形が長辺で互いに結合した断面を有しており、乾燥剤６のビーズで充填されており、かつ、小さい開口部３ｄを備えているグレージング内側壁３ｃを、有する。封止剤ストリップ５によって覆われているスペーサ３の壁を、下記において、スペーサの外側壁３ｅとして言及する。充填剤６によるスペーサ３の内部３ｆの充填は、開口部３ｄとともに、グレージング内部２ｃに侵入する湿分を吸収しペインの曇りが生じ得ないようにすることを、確実にする。
【００３３】
図２は、均圧要素７の斜視外部図であり、これは、図１に係る絶縁グレージング１に挿入されることが意図されている。図２Ａ、２Ｂ、及び２Ｃは、そのような均圧要素の例示的な設計構成を描写している。
【００３４】
図２Ａによれば、均圧要素７が、段階的な円錐形の基本形状を有しており、比較的大きい直径を有する第１主体部分７ａ、及び比較的小さい直径を有する第２主体部分７ｂを有している。第２主体部分は、ここでは、外部スレッド（外部ネジ山）７ｃを備えているが、差込みされてもよく又はクリップされてもよい。そのような均圧要素７を絶縁グレージング１にどのように配置するのかを、図３Ｄに描写しており、かつ、下記に記載している。均圧要素７が、図２で既に見ることができる第１開口部７ｄに加えて、第２開口部７ｅを有しており、これを、図２Ａで見ることができる。
【００３５】
図２Ａ〜２Ｃは、おおよそ同一の収容構造を有している均圧要素７のありうる設計構成を示している。描写は、原則としてスケッチであることが理解される必要があり、それぞれの機能を実現するために合理的に使用される全ての部品を描写していることは主張されない。言うまでもないが、収容構造及び筐体の基本形状は、図２〜図２Ｃに示されている描写から外れることができる。
【００３６】
図２Ａは、均圧要素７へのメンブレン７ｆの取付を描写しており、このメンブレンは、初期の状態では超透過性であるが、材料の経年劣化に起因して、事前に決定された期間で、耐蒸気拡散性でありかつガス交換を防止するフィルムに変化し、例えば、ポリ（１−トリメチルシリル−１−プロピン）（ＰＴＭＳＰ）又は類似の材料でできている。メンブレンの正確な組成、構造、及び厚みは、特定の用途に応じて選択され、特に、絶縁グレージングの完成から最終的な使用の場所へのその到着までとみなされる期間に依存しており、その期間の間に、それぞれの環境とグレージング内部との間の均圧が可能となる必要がある。
【００３７】
図２Ｂは、変形態様として、第１主体部分７ａの底部に耐蒸気拡散性であるがガス透過性であるＰＴＦＥメンブレン７ｆが配置されている均圧要素７を、描写している。このメンブレンの上に、初期には容易にガスを透過するプラスチック材料７ｇ、例えば、ＰＥＧの粉末、粒子、又は成形体が、注入又は配置されている。これによって、ガス透過性が、周囲雰囲気の湿分の影響の下で時間とともに実質的に低減される。意図される使用に応じて、この材料を、その化学組成及び導入の形態の点で選択することができ、それにより、ガス透過性の低減が事前に決定された期間にわたって起こるようにし（上記参照）、かつ、随意に、均圧要素の耐ガス漏洩的な完全な閉鎖をもたらすようにする。
【００３８】
図２Ｃは、別の変形態様として、水蒸気の通過を妨害するがガス透過性である耐水漏洩性ＰＴＦＥメンブレン７ｆと、経年劣化の結果として又は周囲空気の構成要素（例えば、湿分）の影響の下で膨張する材料でできている成形体７ｇとが、互いに重なり合って配置されている。図では、成形体７ｇが、中央貫通開口部７ｈを有して描写されており、これが、膨張に起因して、徐々に閉じる。しかしながら、成形体が、複数の比較的小さい貫通開口部を有してもよく、又は、初期には比較的大きい細孔を有しており、この細孔が同様にそのサイズにおいて長期間にわたって減少し、場合によって最終的に完全に閉鎖されてもよい。上述の態様と同様に、均圧要素のこれらの構成要素の特定の材料及び設計構成を、特定の意図される使用に応じて、特には、ガス透過性における所望の時間依存的な減少に応じて、選択する。
【００３９】
図３Ａ〜図３Ｄは、本発明に係る絶縁グレージング１’のスケッチ的な断面図において、その導入の必須工程を描写している。絶縁グレージング１’の構造は、大部分で、図１における絶縁グレージング１の構造に対応しており、対応する又は機能的に類似する部品が、図１と同じ参照番号で特定されており、ここでは詳述しない。図３Ａ〜図３Ｄは、乾燥剤が充填されておらず矩形断面を有するスペーサ３’を描写している。しかしながら、本発明に関して、図１に描写されている幾何学的構成及び乾燥剤充填を有するスペーサ３が、好ましくは使用されると考えてよい。また、スペーサ３’が、図１で描写されるブチルストリップ４ａ、４ｂを備えることができることも、想定される。
【００４０】
図３Ａは、封止剤ストリップ５の適用及びその硬化によって端部封止を完成させた後の絶縁グレージング１’を描写している。図３Ｂで見られるように、挿入されることとなる均圧要素の外部形状に適合している開口部５ａ又は３ｇ’を、封止剤ストリップ５及び外側壁３ｅ’に、それぞれ形成する。封止剤ストリップ５における開口部５ａが、均圧要素の対応する寸法よりも大きい寸法であり、一方で、スペーサ３’の開口部３ｇ’が、均圧要素の対応する寸法に正確に適合しており、例えば、それによって、部分的にネジ山を備えている均圧要素を、開口部３ｇ’にねじ込む。
【００４１】
そして、図３Ｃによれば、ブチルコード８を備えている均圧要素７を、開口部５ａ、３ｇ’の場所に持っていき、開口部に挿入し（例えば、開口部３ｇ’にねじ込むことによって挿入し）、それにより、均圧要素がそこで強固に封止されるようにし、かつブチルコード８が弾性的に変形しそれによりそれがスペーサ３’の開口部３ｇ’における耐蒸気拡散性の封止となるようにする。この状態が、図３Ｄに描写されており、また、ここでは、開口部５ａの完全な弾性的充填のためのかつ絶縁グレージング端部の耐水漏洩性封止を復元するための封止剤リング９を、挿入された均圧要素７の周囲に射出していることを見ることができる。これで、描写されている絶縁グレージング１’の態様の製造が、完了する。
【００４２】
さらには、本発明の態様は、ここで描写されている例示及び上記で明示的に示された本発明の側面の多数の変形態様において、可能である。
【符号の説明】
【００４３】
１、１’      絶縁グレージング
２ａ、２ｂ    ガラスペイン
２ｃ          グレージング内部
３、３’      スペーサ
３ａ、３ｂ    ペイン接触壁
３ｃ          グレージング内部壁
３ｄ          小さい開口部
３ｅ、３ｅ’  外側壁
３ｆ          スペーサの内部
３ｇ、３ｇ’  スペーサの開口部
４ａ、４ｂ    ブチルストリップ
５            封止剤ストリップ
５ａ          封止剤ストリップの開口部
６            乾燥剤
７            均圧要素
７ａ、７ｂ    主体部分
７ｃ          ネジ山
７ｄ、７ｅ    均圧要素の開口部
７ｆ          メンブレン
７ｇ          プラスチック粒子又はプラスチック主体
７ｈ          成形体における開口部
８            ブチルコード
９            封止化合物のリング
Ｗ            適用ロール
【図１】
2021510669.tif 000003
【図２】
2021510669.tif 000004
【図２ａ】
2021510669.tif 000005
【図２ｂ】
2021510669.tif 000006
【図２ｃ】
2021510669.tif 000007
【図３ａ】
2021510669.tif 000008
【図３ｂ】
2021510669.tif 000009
【図３ｃ】
2021510669.tif 000010
【図３ｄ】
2021510669.tif 000011
【国際調査報告】
2021510669.tif 000012
2021510669.tif 000013
2021510669.tif 000014
2021510669.tif 000015
2021510669.tif 000016
2021510669.tif 000017